【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
クライアント装置と、サーバー装置と、画像形成装置と、を含む印刷システムであって、
前記クライアント装置は、
前記クライアント装置の第１のプリンタードライバーで設定された印刷設定情報からチケットを生成するチケット生成手段と、
前記印刷設定情報と前記チケット生成手段で生成された前記チケットと、描画データとを含む第１の印刷ジョブを生成する印刷ジョブ生成手段と、
前記印刷ジョブ生成手段で生成された前記第１の印刷ジョブを前記サーバー装置に送信する送信手段と、を有し、
前記サーバー装置は、
前記送信手段で送信された前記第１の印刷ジョブを受信する受信手段と、
前記画像形成装置から印刷要求を受信した際に、前記画像形成装置用にインストールされた第２のプリンタードライバーの印刷設定情報の一部に、前記第１の印刷ジョブに含まれるチケットから得られる印刷設定の内容を反映する反映手段と、
前記反映手段による反映が行われた印刷設定情報と、前記第１の印刷ジョブに含まれる描画データとに基づき前記第２のプリンタードライバーにより生成された第２の印刷ジョブを、前記画像形成装置に対して出力する出力手段と、を有することを特徴とする印刷システム。
【請求項２】
前記第１の印刷ジョブに含まれる印刷設定情報と、前記第２のプリンタードライバーの印刷設定情報との互換性を判断する判断手段を、さらに有し、
前記反映手段は、前記判断手段により互換性が無いと判断された場合に、前記第２のプリンタードライバーの印刷設定情報の一部に、前記第１の印刷ジョブに含まれるチケットから得られる印刷設定の内容を反映することを特徴とする請求項１に記載の印刷システム。
【請求項３】
前記出力手段は、前記判断手段により互換性があると判断された場合に、前記第１の印刷ジョブに含まれるチケットを用いることなく、前記第１の印刷ジョブに含まれる印刷設定情報と、描画データとに基づき前記第２のプリンタードライバーにより生成された第２の印刷ジョブを、前記画像形成装置に対して出力することを特徴とする請求項２に記載の印刷システム。
【請求項４】
前記出力手段により出力されるべき第２の印刷ジョブに、前記第１の印刷ジョブに含まれるチケットを含めないように、前記チケットを削除する削除手段を、さらに有することを特徴とする請求項１乃至３の何れか１項に記載の印刷システム。
【請求項５】
クライアント装置から、前記クライアント装置の第１のプリンタードライバーで設定された印刷設定情報、前記印刷設定情報から生成されたチケット、及び、描画データを含む第１の印刷ジョブを受信する受信手段と、
画像形成装置から印刷要求を受信した際に、前記画像形成装置用にインストールされた第２のプリンタードライバーの印刷設定情報の一部に、前記第１の印刷ジョブに含まれるチケットから得られる印刷設定の内容を反映する反映手段と、
前記反映手段による反映が行われた印刷設定情報と、前記第１の印刷ジョブに含まれる描画データとに基づき前記第２のプリンタードライバーにより生成された第２の印刷ジョブを、前記画像形成装置に対して出力する出力手段と、を有することを特徴とするサーバー装置。
【請求項６】
前記第１の印刷ジョブに含まれる印刷設定情報と、前記第２のプリンタードライバーの印刷設定情報との互換性を判断する判断手段を、さらに有し、
前記反映手段は、前記判断手段により互換性が無いと判断された場合に、前記第２のプリンタードライバーの印刷設定情報の一部に、前記第１の印刷ジョブに含まれるチケットから得られる印刷設定の内容を反映することを特徴とする請求項５に記載のサーバー装置。
【請求項７】
前記出力手段は、前記判断手段により互換性があると判断された場合に、前記第１の印刷ジョブに含まれるチケットを用いることなく、前記第１の印刷ジョブに含まれる印刷設定情報と、描画データとに基づき前記第２のプリンタードライバーにより生成された第２の印刷ジョブを、前記画像形成装置に対して出力することを特徴とする請求項６に記載のサーバー装置。
【請求項８】
前記出力手段により出力されるべき第２の印刷ジョブに、前記第１の印刷ジョブに含まれるチケットを含めないように、前記チケットを削除する削除手段を、さらに有することを特徴とする請求項５乃至７の何れか１項に記載のサーバー装置。
【請求項９】
クライアント装置と、サーバー装置と、画像形成装置と、を含む印刷システムにおける情報処理方法であって、
前記クライアント装置が、前記クライアント装置の第１のプリンタードライバーで設定された印刷設定情報からチケットを生成するチケット生成ステップと、
前記クライアント装置が、前記印刷設定情報と前記チケット生成ステップで生成された前記チケットと、描画データとを含む第１の印刷ジョブを生成する印刷ジョブ生成ステップと、
前記クライアント装置が、前記印刷ジョブ生成ステップで生成された前記第１の印刷ジョブを前記サーバー装置に送信する送信ステップと、
前記サーバー装置が、前記送信ステップで送信された前記第１の印刷ジョブを受信する受信ステップと、
前記サーバー装置が、前記画像形成装置から印刷要求を受信した際に、前記画像形成装置用にインストールされた第２のプリンタードライバーの印刷設定情報の一部に、前記第１の印刷ジョブに含まれるチケットから得られる印刷設定の内容を反映する反映ステップと、
前記サーバー装置が、前記反映ステップによる反映が行われた印刷設定情報と、前記第１の印刷ジョブに含まれる描画データとに基づき前記第２のプリンタードライバーにより生成された第２の印刷ジョブを、前記画像形成装置に対して出力する出力ステップと、
を含むことを特徴とする情報処理方法。
【請求項１０】
サーバー装置が実行する情報処理方法であって、
クライアント装置から、前記クライアント装置の第１のプリンタードライバーで設定された印刷設定情報、前記印刷設定情報から生成されたチケット、及び、描画データを含む第１の印刷ジョブを受信する受信ステップと、
画像形成装置から印刷要求を受信した際に、前記画像形成装置用にインストールされた第２のプリンタードライバーの印刷設定情報の一部に、前記第１の印刷ジョブに含まれるチケットから得られる印刷設定の内容を反映する反映ステップと、
前記反映ステップによる反映が行われた印刷設定情報と、前記第１の印刷ジョブに含まれる描画データとに基づき前記第２のプリンタードライバーにより生成された第２の印刷ジョブを、前記画像形成装置に対して出力する出力ステップと、
を含むことを特徴とする情報処理方法。
【請求項１１】
請求項５乃至８の何れか１項に記載の手段としてコンピュータを機能させるためのプログラム。
【手続補正２】
【補正対象書類名】明細書
【補正対象項目名】０００６
【補正方法】変更
【補正の内容】
【０００６】
そこで、本発明は、クライアント装置と、サーバー装置と、画像形成装置と、を含む印刷システムであって、前記クライアント装置は、前記クライアント装置の第１のプリンタードライバーで設定された印刷設定情報からチケットを生成するチケット生成手段と、前記印刷設定情報と前記チケット生成手段で生成された前記チケットと、描画データとを含む第１の印刷ジョブを生成する印刷ジョブ生成手段と、前記印刷ジョブ生成手段で生成された前記第１の印刷ジョブを前記サーバー装置に送信する送信手段と、を有し、前記サーバー装置は、前記送信手段で送信された前記第１の印刷ジョブを受信する受信手段と、前記画像形成装置から印刷要求を受信した際に、前記画像形成装置用にインストールされた第２のプリンタードライバーの印刷設定情報の一部に、前記第１の印刷ジョブに含まれるチケットから得られる印刷設定の内容を反映する反映手段と、前記反映手段による反映が行われた印刷設定情報と、前記第１の印刷ジョブに含まれる描画データとに基づき前記第２のプリンタードライバーにより生成された第２の印刷ジョブを、前記画像形成装置に対して出力する出力手段と、を有することを特徴とする。